(57)【特許請求の範囲】
【請求項１】
火災受信機からの信号線に接続され、火災受信機からの起動信号を受信すると、電源を制御線を介して被制御機器に供給し、該被制御機器を起動させる火災報知設備の中継器において、
前記信号線に接続され、火災受信機との間でデータの送受信を行う伝送手段と、
動作時に電源を前記制御線を介して前記被制御機器に供給するリレー接点を有するリレーと、
前記リレー接点の非動作時側の接点を介して前記制御線の断線を監視し、前記リレーの非動作時の前記制御線の断線時に断線状態を検出すると共に、前記リレーの動作時にも断線状態を検出する断線監視手段と、
前記伝送手段、リレー及び断線監視手段に接続され、中継器の動作を制御する制御手段とを備え、
前記制御手段は、前記伝送手段を介して前記火災受信機からの起動信号を受信し、前記リレーを動作させた後、前記リレー接点が非動作側から動作側に切り替わると前記断線監視手段からの断線状態の検出信号の出力を受けて、前記リレー接点の動作を確認することを特徴とする火災報知設備の中継器。
【請求項２】
前記制御手段は、前記伝送手段を介して前記火災受信機からの起動信号の受信により前記リレーを動作させる際、前記信号線に伝送信号の無いタイミングで前記リレーを動作させることを特徴とする請求項１記載の火災報知設備の中継器。
【発明の詳細な説明】
【０００１】
【発明の属する技術分野】
本発明は、例えば、火災報知設備において、火災受信機からの信号線と地区音響装置や防排煙機器等の被制御機器の間に接続され、火災受信機からの起動信号により被制御機器を起動させる中継器に関する。
【０００２】
【従来の技術】
従来、火災報知設備の中継器としては、火災受信機からの信号線に重畳される電源では、地区音響装置や防排煙機器等の被制御機器を駆動させることができないため、火災受信機から送出された起動信号を受信し、その起動信号に基づいてリレーを動作させ、外部電源を被制御機器に供給し、被制御機器を起動させるものであった。
また、従来の火災報知設備の中継器は、被制御機器が接続されている制御線の断線を検出するために、断線監視回路等を設けており、例えば、被制御機器側に並列に抵抗を接続し、常時微弱電流を制御線に流し、その電流の変化により断線を検出するなどして制御線の断線を監視している。
【０００３】
【発明が解決しようとする課題】
従来の火災報知設備の中継器は、リレーを動作させることにより、外部電源を被制御機器に供給し、被制御機器を起動させているが、リレーの接点の動きについては、リレーを動作させたときに、その接点が、正常に動作することを前提としているため、リレー接点の動作については検出していなかった。
そのため、もし、リレーを動作させたにもかかわらず、そのリレー接点が動作していなかった場合には、火災受信機側では、被制御機器が起動していると判断している状態で、実際には被制御機器が起動していないということになる場合があるという問題点があった。
【０００４】
このため、リレーの動作確認用の回路を別途設け、その回路でリレー動作時の被制御機器側の電圧などの変化を監視し、リレーの動作確認を行うことも考えられるが、中継器の回路が複雑になり、部品点数も多くなってしまうという問題点があった。
【０００５】
また、中継器内のリレーの駆動を含めた各回路の動作電源は、火災受信機からの信号線に重畳されている電源を用いているが、信号線による伝送信号によって電圧のハイ・ローを繰り返しているときに、ローの状態でリレーを動作させた場合、リレーを動作させる電圧レベルが低くてリレーが応答しないことがあるという問題点があった。
【０００６】
本発明は、このような問題点を解決するためになされたものであり、部品点数が多くならず、かつ簡単な回路で、リレー接点の動作を検出することのできる中継器を提供することを目的とする。
【０００７】
【課題を解決するための手段】
本発明に係る火災報知設備の中継器は、火災受信機からの信号線に接続され、火災受信機からの起動信号を受信すると、電源を制御線を介して被制御機器に供給し、被制御機器を起動させる火災報知設備の中継器において、信号線に接続され、火災受信機との間でデータの送受信を行う伝送手段と、動作時に電源を制御線を介して被制御機器に供給するリレー接点を有するリレーと、リレー接点の非動作時側の接点を介して制御線の断線を監視し、前記リレーの非動作時の制御線の断線時に断線状態を検出すると共に、リレーの動作時にも断線状態を検出する断線監視手段と、伝送手段、リレー及び断線監視手段に接続され、中継器の動作を制御する制御手段とを備え、制御手段は、伝送手段を介して起動受信機からの火災信号を受信し、リレーを動作させた後、リレー接点が非動作側から動作側に切り替わると断線監視手段からの断線状態の検出信号の出力を受けて、リレー接点の動作を確認するものである。
【０００８】
また、制御手段は、前記伝送手段を介して火災受信機からの起動信号の受信によりリレーを動作させる際、信号線に伝送信号の無いタイミングでそのリレーを動作させる。
【０００９】
【発明の実施の形態】
実施の形態１．
図１は本発明の一実施の形態に係る火災報知設備の中継器の構成を示すブロック図である。
図において、Ｌは信号線であり、図示しない火災受信機と接続され、複数接続される端末機器の一つとして接続される。
１は伝送回路であり、信号線Ｌを介して火災受信機と接続され、起動信号などのデータの受信や、状態情報などの送信などを行っている。
２は定電圧回路であり、信号線Ｌに重畳されている電圧を電源として、中継器内の各部に所定の電圧を供給している。
【００１０】
３は中継器のアドレスなどが設定されるアドレス設定部、４は中継器全体の動作制御を行う制御部（ＭＰＵ）、５は断線監視回路、Ｅ１はリレー、ｅ１はそれぞれリレーＥ１のリレー接点であり、リレーＥ１のリレー接点ｅ１は、リレーＥ１の非動作時はｂ側、リレーＥ１の動作時はａ側に接続されるようになっている。
ここで、断線監視回路５は常時リレー接点ｅ１を介して（ｂ側の状態）制御線Ｌｔに監視電流を流すことで、制御線Ｌｔの状態を監視しており、監視電流が流れなくなることで、制御線Ｌｔが断線状態であることを検出する。
【００１１】
Ｌｔは制御線、Ｔは制御線Ｌｔに外部電源を供給することにより起動する機器、例えば、防排煙機器のような被制御機器である。なお、Ｒは終端抵抗である。
このように、伝送回路１、定電圧回路２、アドレス設定部３、制御部（ＭＰＵ）４、断線監視回路５、リレーＥ１、リレーＥ１のリレー接点ｅ１で中継器を構成している。
【００１２】
次に、この実施の形態の動作について説明する。
まず、中継器の通常動作について説明する。
（１）常時、図示しない火災受信機との信号伝送を行っており、受信機からの呼出信号に応じて応答信号を返送している。
（２）図示しない火災受信機からの起動信号を受信すると被制御機器Ｔを起動する。すなわち、中継器の制御部４は、リレーＥ１を作動させてその接点ｅ１をｂ側からａ側に切替させる。すると、機器Ｔに制御線Ｌｔを介して外部電源が供給され、機器Ｔが起動する。
【００１３】
（３）リレー接点ｅ１が切り替わると断線監視回路５が断線状態として検出して出力を行う。
ここで、検出する断線状態は、実際の制御線Ｌｔの断線でなく、リレー接点ｅ１の切替によって（ａ側の状態）監視電流が流れなくなったことを断線監視回路５が断線状態として検出して出力を行う。
【００１４】
（４）制御部４が起動動作を確認する。すなわち、断線監視回路５からの出力を制御部４が受け、リレーＥ１を作動させる出力の後での断線監視回路５からの出力は起動確認出力とする。
ここで、起動確認出力とするのは、リレーＥ１への制御を行っていることと合わせて判断されるもので、すなわち、リレーＥ１への制御以前から断線状態の場合には断線監視回路５からの出力があっても、被制御機器Ｔの制御はできていない。
なお、リレーＥ１を起動していない状態では、本来の断線監視中の出力なので、断線検出出力と判断するのは勿論である。
【００１５】
次に、中継器の断線発生時の動作について説明する。
（１）常時、断線監視回路５はリレー接点ｅ１を介して（ｂ側の状態）制御線Ｌｔに監視電流を流している。
（２）制御線Ｌｔが断線すると、監視電流が流れなくなる。そのとき、断線監視回路５は監視電流が発生しないことを検出して、制御部４に出力を行う。
（３）制御部４は、リレーＥ１の非制御状態での断線監視回路５の出力に基づいて、断線状態と認識し、火災受信機からの呼出信号に対して、応答信号として断線状態であることを示す信号を返送する。
【００１６】
このとき、監視電流は終端抵抗Ｒを介して制御線Ｌｔだけに流れ、ダイオードＤによって被制御機器Ｔには流れない。したがって、１本の制御線Ｌｔによって被制御機器Ｔを複数制御する場合でも、同じ監視電流で断線検知することができる。なお、制御線Ｌｔの終端には、いわゆる終端器として抵抗以外のコンデンサやツェナーダイオード等であってもよい。また、監視電流は、必ず常時は必要なく、間欠的であってもよい。
【００１７】
このように、この実施の形態では、リレーＥ１への制御出力の有無と被制御機器への制御線Ｌの断線を監視する断線監視回路５の出力を用いて、リレーＥ１動作時の断線監視回路５の出力はリレー接点ｅ１の起動確認出力とすることにより、簡単な回路構成で部品点数も少なく、リレー接点ｅ１の動作確認を行うことが可能となる。
なお、これらのリレーＥ１、リレー接点ｅ１、制御線Ｌ及び断線監視回路５を１回線として、制御部４は複数回線を監視制御するようにしてもよい。
【００１８】
実施の形態２．
この実施の形態は、実施の形態１において、リレーＥ１を動作させるタイミングを制御するもので、それ以外の中継器の構成及び動作については、実施の形態１と同様である。
【００１９】
次に、この実施の形態の動作について説明する。
まず、火災受信機との信号伝送の形態について説明する。
図２は火災受信機と端末機器との伝送における情報収集の信号形態を模式的に示す図である。
まず、火災受信機は、各端末機器からの情報を収集する際は、ポイントボーリングによってグループを指定してグループに属する複数の端末機器の応答を受信する。
【００２０】
ここで、信号線Ｌを介して火災受信機に接続されている複数の端末機器はグループ分けされており、例えば、端末機器にアドレスが２５５個まで付与できるときに、それを１６グループに分けると、１グループ内に１６個以内の端末機器が属することになる。なお、各端末機器は、自己のアドレスから属するグループ及びグループ内での順位を予め算出できる。
【００２１】
そして、ポイントポーリングのフレーム内において、まず、火災受信機はグループを指定して（ＡＤの位置）呼出信号（ＣＭの位置）を組み合わせて送出する。これがタイミング的に受信機フィールドである。
【００２２】
これに対して該当グループの端末機器が順次自己アドレス（ＡＤの位置）と共に状態情報（ＲＥの位置）を応答する。このとき、グループ内の順位に基づいて、重複しないように個別に出力するようになっている。これがタイミング的に端末機器フィールドである。
これらを組み合わせて一つの伝送フレームとなっている。
このように、一つの呼出信号に対して複数の端末機器に応答させることで、簡易に各端末機器の状態情報を収集できるようにしている。
【００２３】
次に、中継器の起動タイミングについて説明する。
図３は火災受信機から中継器への起動信号の信号形態を模式的に示す図である。
火災受信機からの起動信号は、ポイントボーリングではなく、セレクティングの形態で行われており、このセレクティングは、アドレスを指定することで直接一つの端末機器に制御を行わせるための形態である。
【００２４】
フレーム内において、まず、火災受信機は、起動させる被制御機器である端末機器をアドレスによって指定して（ＡＤの位置）、起動信号（ＣＭの位置）を組み合わせて送出する。これがタイミング的に図２同様の受信機フィールドである。
【００２５】
これに対して該当アドレスの端末機器は、受信内容の確認として自己アドレス（ＡＤの位置）と共に応答信号（ＲＥの位置）を応答する。この応答信号は、情報の内容として起動信号と同一でよいが、詳細には、起動信号に一次サムチェックコードを、応答信号に二次サムチェックコードを包含するので、信号内容の確認となる。
【００２６】
そして、セレクティングのフレームでは、ポイントポーリング時のフレーム長と同じフレーム長で、端末機器フィールドが短いので、その後部に伝送の余白ができる。
そこで、この実施の形態の、中継器の制御部４は、リレーＥ１を動作させる際、この信号線に伝送信号が重畳していない状態を端末制御タイミングとして、リレーＥ１の起動動作を行う。
したがって、信号線に伝送信号はなく、リレーＥ１に供給される電圧が安定している時に、リレーＥ１を動作させることができ、起動信号受信時にリレーＥ１を確実に動作させることが可能となる。
【００２７】
なお、セレクティングにおいて、端末機器フィールド後部の余白は短くてもよく、端末制御タイミングは伝送信号の隙間等で行えばよいので、必ずポイントポーリングやセレクティングを行う必要はなく、伝送形態には関係しない。ただ、タイミングとして広い余白のあることが好ましい。
【００２８】
【発明の効果】
以上のように本発明によれば、伝送手段を介して火災受信機からの起動信号を受信し、リレーを動作させた後、リレー接点が非動作側から動作側に切り替わると断線監視手段からの断線状態の検出信号の出力を受けて、リレー接点の動作を確認するようにしたので、簡単な回路構成で部品点数も少なく、リレー接点の動作確認を行うことができるという効果を有する。
【００２９】
また、伝送手段を介して火災受信機からの起動信号の受信によりリレーを動作させる際、信号線に伝送信号の無いタイミングでそのリレーを動作させるようにしたので、リレーに供給される電圧が安定している時に、リレーを動作させることができ、起動信号の受信時にリレーを確実に動作させることができるという効果を有する。
【図面の簡単な説明】
【図１】本発明の一実施の形態に係る火災報知設備の中継器の構成を示すブロック図である。
【図２】火災受信機と端末機器との伝送における情報収集の信号形態を模式的に示す図である。
【図３】火災受信機から中継器への起動信号の信号形態を模式的に示す図である。
【符号の説明】
１  伝送回路
２  定電圧回路
３  アドレス設定部
４  制御部（ＭＰＵ）
５  断線監視回路
Ｅ１  リレー
ｅ１  リレーＥ１のリレー接点
Ｌｔ  制御線
Ｔ  被制御機器
【図１】
0003988108.tif 000002
【図２】
0003988108.tif 000003
【図３】
0003988108.tif 000004